(57)【特許請求の範囲】
【請求項１】
予め登録された登録領域内において作業車両を自律走行させる自律走行システムであって、
衛星測位システムにより特定される前記作業車両の位置情報を取得可能な位置情報取得部と、
地図情報を取得可能な地図情報取得部と、
前記作業車両の走行軌跡に基づいて走行領域を特定可能な領域特定部と、
前記領域特定部により特定された走行領域が前記地図情報において前記作業車両の自律走行が禁止される禁止領域を含むか否かを判定する判定部と、
前記判定部により前記走行領域に前記禁止領域が含まれないと判定される場合に前記走行領域を前記登録領域として登録する登録部と、を備えることを特徴とする自律走行システム。
【請求項２】
前記位置情報取得部は、基地局の位置情報に基づいてＲＴＫ測位により前記作業車両の位置情報を取得可能に構成されていることを特徴とする請求項１に記載の自律走行システム。
【請求項３】
前記位置情報取得部は所定の基地局の位置情報に基づいて世界測地系により前記作業車両の位置情報を取得可能であり、
前記地図情報は日本測地系による位置情報を含む地図情報であって、
世界測地系と日本測地系との補正値に基づいて前記所定の基地局の位置情報又は前記地図情報の位置情報の測地変換を行う測地変換部を備えることを特徴とする請求項１又は２に記載の自律走行システム。
【請求項４】
前記補正値を地域毎に対応付けて記憶する記憶部を備え、
前記測地変換部は、前記作業車両の現在位置が属する地域に対応付けられた前記補正値に基づいて前記測地変換を行うことを特徴とする請求項３に記載の自律走行システム。
【請求項５】
前記測地変換部による前記測地変換における位置情報の誤差を補正する補正モードを実行可能なモード実行部を備え、
前記モード実行部により前記補正モードが実行されたときに単独測位又は前記所定の基地局とは別の基地局の位置情報に基づくＲＴＫ測位により前記所定の基地局の位置情報を補正する補正部を備えることを特徴とする請求項３又は４に記載の自律走行システム。
【発明の詳細な説明】
【技術分野】
【０００１】
本発明は、予め登録された登録領域内において作業車両を自律走行させる自律走行システムに関する。
【背景技術】
【０００２】
上記のような自律走行システムは、例えば、衛星測位システムを用いて作業車両の現在位置を取得し、登録領域内に生成される目標走行経路等に沿って作業車両を自律走行させるように構成されている（例えば、特許文献１参照。）。
【０００３】
登録領域の登録については、例えば、登録対象となる領域において、作業車両の位置情報を取得しながら、作業者の操縦等により作業車両を走行させる。そして、登録領域を登録するための基準となる複数の基準地点の夫々における位置情報を取得し、それら複数の基準地点から特定される領域を登録領域として登録している。例えば、作業車両が農作業用である場合には、圃場の角部等を基準地点とし、圃場内の端部側を周回するように作業車両を走行させて、圃場の角部となる複数の基準地点の位置情報を取得し、それら複数の基準地点を結ぶ線にて囲まれた圃場内の領域を登録領域として登録している。
【先行技術文献】
【特許文献】
【０００４】
【特許文献１】特開２００２−３５４９０５号公報
【発明の概要】
【発明が解決しようとする課題】
【０００５】
上述の如く、例えば、作業車両が農作業用である場合には、通常、圃場内に登録領域が登録されることになる。しかしながら、登録ミス等により、圃場外の道路等を含む領域を登録領域として登録してしまうと、圃場外の道路等、本来なら作業車両の自律走行を禁止すべき領域で作業車両を自律走行させてしまうことになる。そこで、作業車両の自律走行を禁止すべき領域における作業車両の自律走行を阻止するための対策が求められている。
【０００６】
この実情に鑑み、本発明の主たる課題は、本来なら作業車両の自律走行を禁止すべき領域における作業車両の自律走行を阻止することができる自律走行システムを提供する点にある。
【課題を解決するための手段】
【０００７】
本発明の第１特徴構成は、予め登録された登録領域内において作業車両を自律走行させる自律走行システムであって、
衛星測位システムにより特定される前記作業車両の位置情報を取得可能な位置情報取得部と、
地図情報を取得可能な地図情報取得部と、
前記作業車両の走行軌跡に基づいて走行領域を特定可能な領域特定部と、
前記領域特定部により特定された走行領域が前記地図情報において前記作業車両の自律走行が禁止される禁止領域を含むか否かを判定する判定部と、
前記判定部により前記走行領域に前記禁止領域が含まれないと判定される場合に前記走行領域を前記登録領域として登録する登録部と、を備えることを特徴とする点にある。
【０００８】
本構成によれば、登録領域を登録する場合に、例えば、登録対象となる領域において、位置情報取得部にて作業車両の位置情報を取得しながら、作業者の操縦等により作業車両を走行させることができる。この作業車両の走行により、領域特定部が、位置情報取得部にて取得された作業車両の位置情報から作業車両の走行軌跡を把握し、その走行軌跡に基づいて走行領域を特定することができる。そして、判定部は、道路等を含む禁止領域が走行領域に含まれている否かを判定し、登録部が、判定部により走行領域に地図情報における禁止領域が含まれないと判定される場合に走行領域を登録領域として登録する。これにより、判定部により走行領域に禁止領域が含まれていると判定される場合には、走行領域が登録領域として登録されない。よって、道路等を含む禁止領域が登録領域に含まれることを防止することができ、本来なら作業車両の自律走行を禁止すべき領域における作業車両の自律走行を阻止することができる。
【０００９】
本発明は、予め登録された登録領域内において作業車両を自律走行させる自律走行システムであって、
衛星測位システムにより特定される前記作業車両の位置情報を取得可能な位置情報取得部と、
地図情報を取得可能な地図情報取得部と、
前記位置情報取得部により取得された前記作業車両の現在位置が前記登録領域内であるか否か、及び、前記地図情報において前記作業車両の自律走行が禁止される禁止領域内であるか否かを判定する判定部と、
前記判定部により前記作業車両の現在位置が前記登録領域内で且つ前記禁止領域内であると判定された場合に前記作業車両の自律走行を禁止する自律走行禁止部と、を備えると好適である。
【００１０】
本構成によれば、作業車両を自律走行させる場合に、位置情報取得部にて作業車両の現在位置を取得するので、判定部は、位置情報取得部により取得された作業車両の現在位置が登録領域内であるか否か、及び、位置情報取得部により取得された作業車両の現在位置が地図情報における禁止領域内であるか否かを判定することができる。そして、自律走行禁止部は、判定部により作業車両の現在位置が登録領域内で且つ禁止領域内であると判定された場合に、作業車両を走行停止させる等により作業車両の自律走行を禁止することができる。よって、作業車両を自律走行させているときに作業車両が禁止領域に侵入しても、その自律走行を禁止することで、本来なら作業車両の自律走行を禁止すべき領域における作業車両の自律走行を阻止することができる。
【００１１】
本発明の第２特徴構成は、前記位置情報取得部は、基地局の位置情報に基づいてＲＴＫ測位により前記作業車両の位置情報を取得可能に構成されていることを特徴とする点にある。
【００１２】
本構成によれば、位置情報取得部は、基地局の位置情報に基づいてＲＴＫ測位により作業車両の位置情報を取得できるので、作業車両の位置情報として正確な位置情報を取得できる。これにより、作業車両の自律走行を適切に行うことができるだけでなく、上述の判定部による判定も正確に行うことができ、本来なら作業車両の自律走行を禁止すべき領域における作業車両の自律走行を適切に阻止することができる。
【００１３】
本発明の第３特徴構成は、前記位置情報取得部は所定の基地局の位置情報に基づいて世界測地系により前記作業車両の位置情報を取得可能であり、
前記地図情報は日本測地系による位置情報を含む地図情報であって、
世界測地系と日本測地系との補正値に基づいて前記所定の基地局の位置情報又は前記地図情報の位置情報の測地変換を行う測地変換部を備えることを特徴とする点にある。
【００１４】
本構成によれば、位置情報取得部が世界測地系により作業車両の位置情報を取得可能であるのに対して、地図情報は日本測地系による位置情報を含む地図情報となっている。世界測地系と日本測地系との間で取得される位置情報に誤差があるので、この誤差が有るまま上述の判定部が判定を行うと、誤判定となる可能性がある。そこで、測地変換部による測地変換を行うことで、その誤差を無くし、世界測地系と日本測地系との間での誤差を無くした状態で上述の判定部による判定を行うことができる。よって、上述の判定部による判定を正確に行うことができ、本来なら作業車両の自律走行を禁止すべき領域における作業車両の自律走行を適切に阻止することができる。
【００１５】
本発明の第４特徴構成は、前記補正値を地域毎に対応付けて記憶する記憶部を備え、
前記測地変換部は、前記作業車両の現在位置が属する地域に対応付けられた前記補正値に基づいて前記測地変換を行うことを特徴とする点にある。
【００１６】
世界測地系と日本測地系との間での誤差の大きさは地域によって異なる。そこで、本構成によれば、測地変換部は、記憶部に記憶された補正値のうち、作業車両の現在位置が属する地域に対応付けられた補正値に基づいて測地変換を行う。これにより、地域毎で異なる誤差の大きさに応じて適切に測地変換を行うことができ、上述の判定部による判定を行うに当たり、所定の基地局の位置情報及び地図情報の位置情報について正確な位置情報を取得でき、より正確な判定を行うことができる。
【００１７】
本発明の第５特徴構成は、前記測地変換部による前記測地変換における位置情報の誤差を補正する補正モードを実行可能なモード実行部を備え、
前記モード実行部により前記補正モードが実行されたときに単独測位又は前記所定の基地局とは別の基地局の位置情報に基づくＲＴＫ測位により前記所定の基地局の位置情報を補正する補正部を備えることを特徴とする点にある。
【００１８】
測地変換部による測地変換を行うに当たり、所定の基地局の位置情報自体に誤差があることも考えられる。そこで、本構成によれば、補正部が、モード実行部により補正モードが実行されたときに単独測位又は所定の基地局とは別の基地局の位置情報に基づくＲＴＫ測位により所定の基地局の位置情報を補正するので、所定の基地局の位置情報の誤差をも無くし、正確な位置情報を取得することができる。よって、上述の判定部の判定精度をより向上することができ、本来なら作業車両の自律走行を禁止すべき領域における作業車両の自律走行を適切に且つより精度よく阻止することができる。
【図面の簡単な説明】
【００１９】
【図１】トラクタの全体側面図
【図２】トラクタ、基地局、及び、無線通信端末の制御ブロック図
【図３】測地変換を行う前の基地局、及び、地図情報等の位置情報を示す図
【図４】測地変換を行った後の基地局、及び、地図情報等の位置情報を示す図
【図５】基地局と別の基地局とを用いたＲＴＫ測位を示す図
【図６】登録領域の登録における手順を示すフローチャート
【図７】自律走行時における動作を示すフローチャート
【図８】登録領域内に禁止領域が存在する場合を示す図
【発明を実施するための形態】
【００２０】
本発明に係る自律走行システムの実施形態を図面に基づいて説明する。
この自律走行システムは、図１に示すように、予め登録された登録領域内において作業車両としてのトラクタ１を自律走行させるためのシステムである。自律走行システムは、図２に示すように、トラクタ１の位置情報を取得可能な位置情報取得部３２、地図情報を取得可能な地図情報取得部３３等を備えており、この実施形態では、無線通信端末３０に自律走行システムが備えられている。
【００２１】
まず、図１に基づいてトラクタ１について説明する。
このトラクタ１は、後方側に作業機５０を装着可能な車体部２を備え、車体部２の前部が左右一対の前輪３で支持され、車体部２の後部が左右一対の後輪４で支持されている。車体部２の前部にはボンネット５が配置され、そのボンネット５内に駆動源としてのエンジン６が収容されている。エンジン６は、例えばディーゼルエンジンにより構成することができるが、これに限るものではなく、例えばガソリンエンジンにより構成してもよい。また、駆動源としてエンジン６に加えて、或いはエンジン６に代えて、電気モータを採用してもよい。ボンネット５の後方側には、運転者が搭乗するためのキャビン７が備えられ、そのキャビン７内には、運転者が操向操作するためのステアリングハンドル８、運転者の運転座席９等が備えられている。なお、本実施形態では作業車両としてトラクタ１を例に説明するが、作業車両としては、トラクタの他、田植機、コンバイン、土木・建築作業装置、除雪車等、乗用型作業車両に加え、歩行型作業車両も含まれる。
【００２２】
車体部２の後方側には、左右一対のロアリンク１０とアッパリンク１１とからなる３点リンク機構が備えられ、その３点リンク機構に作業機５０が装着可能に構成されている。車体部２の後方側には、図示は省略するが、昇降シリンダ等の油圧装置を有する昇降装置が備えられ、この昇降装置が、３点リンク機構を昇降させることで、作業機５０を昇降させている。
【００２３】
ここで、作業機５０について、図１では、耕耘装置を装着した場合を例示しているが、耕耘装置に限らず、プラウ、施肥装置等、各種の作業機を適用することができる。
【００２４】
トラクタ１には、図２に示すように、エンジン６の回転速度を調整可能なガバナ装置２１、エンジン６からの回転駆動力を変速して駆動輪に伝達する変速装置２２、ガバナ装置２１および変速装置２２を制御可能な制御部２３等が備えられている。変速装置２２は、例えば、油圧式無段変速装置からなる主変速装置とギヤ式多段変速装置からなる副変速装置とを組み合わせて構成されている。
【００２５】
このトラクタ１は、運転者がキャビン７内に搭乗して走行できるだけでなく、キャビン７内に運転者が搭乗しなくても、無線通信端末３０からの指令等に基づいて、トラクタ１を自律走行可能に構成している。
【００２６】
トラクタ１は、図２に示すように、操舵装置２４、測位用アンテナ２５、無線通信用アンテナ２６等を備えており、自己の現在位置情報（車体部２の位置情報）を取得しながら、自律走行可能に構成されている。
【００２７】
操舵装置２４は、例えば、ステアリングハンドル８の回転軸の途中部に備えられ、ステアリングハンドル８の回転角度（操舵角）を調整可能に構成されている。制御部２３が操舵装置２４を制御することで、直進走行だけでなく、ステアリングハンドル８の回転角度を所望の回転角度に調整して、所望の旋回半径での旋回走行も行える。
【００２８】
測位用アンテナ２５は、図１に示すように、例えば、衛星測位システム（ＧＮＳＳ）を構成する測位衛星６３からの信号を受信するように構成されている。測位用アンテナ２５は、キャビン７のルーフ１３の上面に配置されている。
【００２９】
無線通信用アンテナ２６は、無線通信端末３０等との間で各種の信号を送受信可能に構成されている。無線通信用アンテナ２６は、キャビン７のルーフ１３の上面に配置されている。無線通信用アンテナ２６にて受信した信号は、図２に示すように、制御部２３に入力可能であり、制御部２３からの信号は、無線通信用アンテナ２６にて無線通信端末３０の無線通信装置３１等に送信可能に構成されている。
【００３０】
ここで、衛星測位システムを用いた測位方法としては、単独測位、ＤＧＰＳ（ディファレンシャルＧＰＳ測位）、ＲＴＫ測位（リアルタイムキネマティック測位）等の各種の測位方法を適用することができる。
【００３１】
この実施形態では、ＲＴＫ測位を適用しており、図１及び図２に示すように、移動局となるトラクタ１に測位用アンテナ２５を備えるのに加えて、基地局測位用アンテナ６１を備えた基地局６０が備えられている。基地局６０は、例えば、圃場の周囲等、トラクタ１の走行の邪魔にならない位置に配置されており、基地局６０の位置情報は既知であり、その既知の位置情報が予め設定されている。基地局６０には、トラクタ１の無線通信用アンテナ２６との間で各種の信号を送受信可能な基地局無線通信装置６２が備えられ、基地局６０とトラクタ１との間で各種の情報が送受信可能に構成されている。
【００３２】
ＲＴＫ測位では、予め位置情報が設定されている基地局６０と、位置情報を求める対象の移動局となるトラクタ１の測位用アンテナ２５との両方で測位衛星６３からの搬送波位相を測定し、基地局６０にて測定した測定データ等を基地局無線通信装置６２からトラクタ１の無線通信用アンテナ２６に送信している。トラクタ１の制御部２３は、測位用アンテナ２５にて測定した測定データを、基地局６０にて測定した測定データや予め設定されている基地局６０の位置情報等を用いて補正して、トラクタ１の位置情報を求めている。制御部２３は、トラクタ１の位置情報として、例えば、緯度情報・経度情報を求めている。
【００３３】
次に、図２に基づいて、無線通信端末３０に備えられた自律走行システムについて説明する。
無線通信端末３０は、例えば、タッチパネルを有するタブレット型のパーソナルコンピュータ等から構成され、各種情報をタッチパネルに表示可能であり、タッチパネルを操作することで、各種の情報も入力可能となっている。
【００３４】
自律走行システムは、登録領域の登録を行い、その登録された登録領域内に目標走行経路を生成し、その生成された目標走行経路に沿ってトラクタ１を自律走行可能に構成されている。
【００３５】
無線通信端末３０には、登録領域を登録するために、位置情報取得部３２、地図情報取得部３３、領域特定部３４、判定部３５、登録部３６等が備えられている。また、登録された登録領域内にトラクタ１をどのように走行させるかを示す目標走行経路を生成するために、無線通信端末３０には走行経路演算部３７が備えられている。
【００３６】
トラクタ１に備えられた制御部２３は、無線通信用アンテナ２６と無線通信装置３１との間での無線通信を介して、無線通信端末３０との間で各種の情報を送受信可能に構成されている。無線通信端末３０は、目標走行経路等、トラクタ１を自律走行させるための各種の情報をトラクタ１の制御部２３に送信可能に構成されている。トラクタ１の制御部２３は、無線通信端末３０から送信された各種の情報に応じて、走行経路演算部３７にて生成された目標走行経路に沿って自律走行するように、測位用アンテナ２５の受信信号から取得するトラクタ１の現在位置情報に基づいて操舵装置２４等を制御可能に構成されている。
【００３７】
位置情報取得部３２は、上述の衛星測位システムのＲＴＫ測位を適用して、既知の基地局６０の位置情報に基づいて世界測地系により特定されるトラクタ１の位置情報を取得可能に構成されている。ここで、位置情報取得部３２は、無線通信装置３１、トラクタ１の無線通信用アンテナ２６、及び、トラクタ１の制御部２３を含めて構成することもできる。上述の衛星測位システムのＲＴＫ測位を適用することで、制御部２３では、世界測地系によりトラクタ１の位置情報が特定されており、位置情報取得部３２は、トラクタ１の無線通信用アンテナ２６と無線通信端末３０の無線通信装置３１との間での無線通信を介して、特定されたトラクタ１の位置情報を取得している。
【００３８】
地図情報取得部３３が取得可能な地図情報は、日本測地系による位置情報を含む地図情報となっている。地図情報取得部３３は、作業者のタッチパネルの操作による入力や無線通信装置３１を用いた外部装置との無線通信により、日本測地系による地図情報を取得している。地図情報には、各位置座標がどのような領域であるかを示す情報が含まれていてもよく、例えば、地図情報は複数の領域に分割され、各分割領域がどのような領域であるかを示す情報が含まれていてよい。領域としては、例えば、公道、農道、公園、公共施設、圃場が例示される。また、地図情報には、トラクタ１による自律走行が許可される許可領域であるか、トラクタ１による自律走行が禁止される禁止領域であるかの情報が含まれていてよく、その場合、圃場は許可領域として設定され、圃場以外（公道、農道、公園、公共施設等）は禁止領域として設定される。何れの領域を許可領域とし、何れの領域を禁止領域とするかは作業者が任意に設定可能であってもよい。但し、安全性の観点から、圃場以外の領域を許可領域に設定するにあたっては一定の制限が課せられることが望ましく、例えば地図情報上圃場でないとしても実際は圃場である等、地図上の領域と実際の領域との間に相違が存在する場合に、その領域を圃場に変更することで、許可領域として設定可能となることが望ましい。
【００３９】
登録領域を登録する場合には、例えば、作業者の操縦によりトラクタ１を走行させ、そのときのトラクタ１の走行領域に基づいて登録領域を登録可能としている。そこで、領域特定部３４は、トラクタ１の走行軌跡に基づいて走行領域を特定可能に構成されている。トラクタ１を走行させたときの位置情報は、位置情報取得部３２にて取得しているので、領域特定部３４は、その取得されたトラクタ１の位置情報からトラクタ１の走行軌跡を求めて、トラクタ１の走行領域を特定している。
【００４０】
判定部３５は、領域特定部３４にて特定された走行領域が地図情報取得部３３にて取得された地図情報において、トラクタ１の自律走行が禁止される禁止領域の一部又は全部を含むか否かを判定可能に構成されている。
【００４１】
登録部３６は、判定部３５により走行領域に禁止領域が含まれないと判定された場合に走行領域を登録領域として登録可能に構成されている。これにより、公道等、本来ならトラクタ１の自律走行を禁止すべき禁止領域を含むことなく、登録領域を登録することができる。
【００４２】
ここで、この実施形態では、判定部３５にて判定するに当たり、トラクタ１の走行領域が世界測地系により特定されたトラクタ１の位置情報に基づくものであるのに対して、地図情報が日本測地系により取得されたものとなっている。よって、世界測地系により取得される位置情報と日本測地系により取得される位置情報との間に誤差が生じるので、判定部３５は、世界測地系によるトラクタ１の走行領域と日本測地系による地図情報とを単に比較するだけでは、誤判定となる可能性がある。
【００４３】
そこで、無線通信端末３０には、世界測地系と日本測地系との補正値に基づいて、基地局６０の位置情報又は地図情報の測地変換を行う測地変換部３９が備えられている。そして、無線通信端末３０には、測地変換部３９による測地変換を行うために、記憶部４０、モード実行部４１、補正部４２が備えられている。
【００４４】
世界測地系と日本測地系との補正値については、地域毎で異なることから、記憶部４０は、世界測地系と日本測地系との補正値を地域毎に対応付けて記憶可能に構成されている。そして、測地変換部３９は、トラクタ１の現在位置が属する地域に対応付けられた補正値に基づいて測地変換を行うように構成されている。モード実行部４１は、測地変換部３９による測地変換の誤差を補正する補正モードを実行可能に構成されており、補正部４２は、モード実行部４１により補正モードが実行されたときにＲＴＫ測位により基地局６０の位置情報を補正可能に構成されている。
【００４５】
図３及び図４に基づいて、測地変換部３９による測地変換について説明する。図３及び図４は、圃場の周囲に道路Ｋ１，Ｋ２が隣接して位置する場合に、圃場を走行領域Ｑとしたときの走行領域Ｑの位置情報及び道路Ｋ１，Ｋ２等の地図情報の位置情報を示している。図３は、測地変換部３９による測地変換を行う前の走行領域Ｑ及び道路Ｋ１，Ｋ２等の位置情報を示している。図４は、測地変換部３９による測地変換を行った後の走行領域Ｑ及び道路Ｋ１，Ｋ２等の位置情報を示している。
【００４６】
図３（ａ）及び図３（ｂ）に示すように、地図情報として、圃場の周囲に隣接する道路Ｋ１、Ｋ２の位置情報が取得されている。例えば、道路Ｋ１は、地点Ｐ１（ｘ１，ｙ１）と地点Ｐ２（ｘ２，ｙ２）とを通る道路であり、その道路幅がＷ１であるとの位置情報が取得されている。道路Ｋ２は、地点Ｐ３（ｘ３，ｙ３）と地点Ｐ４（ｘ４，ｙ５）を通る道路であり、その道路幅がＷ２であるとの位置情報が取得されている。
【００４７】
それに対して、圃場内において、作業者の操縦によりトラクタ１を走行させ、そのときのトラクタ１の走行軌跡に基づいて、領域特定部３４により圃場内が走行領域Ｑとして特定されている。例えば、圃場の角部を基準地点とした場合に、領域特定部３４は、トラクタ１の走行軌跡から複数の基準地点Ｑ１，Ｑ２，Ｑ３，Ｑ４の夫々における位置情報（ｕ１，ｖ１），（ｕ２，ｖ２），（ｕ３，ｖ３），（ｕ４，ｖ４）を求め、複数の基準地点Ｑ１，Ｑ２，Ｑ３，Ｑ４を結ぶ線にて囲まれた領域を走行領域Ｑとして特定している。また、トラクタ１の現在位置を（ｕ６，ｖ６）としており、基地局６０の位置を（ｕ０，ｖ０）としている。
【００４８】
走行領域Ｑの位置情報と道路Ｋ１，Ｋ２の位置情報との関係は、図３（ａ）及び図３（ｂ）の点線で示すように、本来なら走行領域Ｑとなる圃場の周囲に道路Ｋ１，Ｋ２が隣接している関係となる。しかしながら、道路Ｋ１，Ｋ２が日本測地系によるものであり、走行領域Ｑが世界測地系によるものであり、世界測地系と日本測地系とで誤差が生じるので、走行領域Ｑの位置情報と道路Ｋ１，Ｋ２の位置情報との関係は、図３（ａ）及び図３（ｂ）の実線で示すように、本来の関係からずれたものとなる。ちなみに、図３（ａ）では、本来の関係から図中左上側にずれた状態を示しており、図３（ｂ）では、本来の関係から図中右下側にずれた状態を示している。
【００４９】
そこで、測地変換部３９は、世界測地系と日本測地系との補正値に基づいて、基地局６０の位置情報又は地図情報の測地変換を行う。このとき、世界測地系と日本測地系との補正値を地域毎に対応付けて記憶部４０に記憶させているので、測地変換部３９は、トラクタ１の位置情報等により、現在位置がどの地域に属するかを判別し、現在位置に属する地域に対応付けられた補正値を用いて、基地局６０の位置情報又は地図情報の測地変換を行う。これにより、取得される位置情報が世界測地系と日本測地系とで測地系が異なることによる誤差が生じる場合でも、その誤差を無くして正確な基地局６０の位置情報及び地図情報を取得することができる。
【００５０】
また、測地変換部３９にて基地局６０の位置情報又は地図情報の測地変換を行うに当たり、測地系が異なることによる誤差だけでなく、その他の誤差が生じることも考えられるので、それらの誤差を考慮することで、より正確な位置情報を取得するようにしている。
【００５１】
まず、地図自体に誤差があることが考えられるので、地図上の任意の点について位置情報の補正を行っている。地図上の任意の位置として、例えば、圃場の角部となる基準地点Ｑ１，Ｑ２，Ｑ３，Ｑ４、基地局６０の位置等を用いることができる。例えば、地図上の任意の位置（例えば、基準地点Ｑ１）にトラクタ１を移動させて、そのときのトラクタ１の位置情報を取得し、地図上の任意の位置（例えば、基準地点Ｑ１）が世界測地系にて特定されるトラクタ１の位置情報と一致するように、地図上の任意の点について位置情報の補正を行っている。これにより、地図上の任意の点の緯度・経度と実際の点の緯度・経度との誤差を補正でき、正確な地図情報を取得することができる。
【００５２】
また、世界測位系では、基地局６０の位置情報を用いてトラクタ１の位置情報を特定しているので、基地局６０の位置自体に誤差があることが考えられる。そこで、モード実行部４１は、測地変換部３９による測地変換における位置情報の誤差を補正する補正モードを実行可能とし、補正部４２は、モード実行部４１により補正モードが実行されたときに別の基地局６４に基づくＲＴＫ測位により基地局６０の位置情報を補正している。
【００５３】
補正部４２（基地局位置情報取得部に相当する）は、図５に示すように、基地局６０を移動局とし、別の基地局６４を固定局としてＲＴＫ測位を行うことで、基地局６０の位置情報を特定して、基地局６０の位置情報を補正して、正確な基地局６０の位置情報を取得している。ここで、別の基地局６４として、電子基準点、三角点、公共基準点、仮想基準点（ＶＲＳ）等、正確な位置情報が測量されて設定されている各種の基準位置を適用することができる。また、基地局６０の位置情報を取得するために、ＲＴＫ測位を用いているが、ＲＴＫ測位に限らず、単独測位やＤＧＰＳ（ディファレンシャルＧＰＳ測位）等、各種の測位方法を適用可能である。また、所定数以上の測位衛星６３により基地局６０の位置情報を得られる場合等、測位衛生システムにより安定した状態で位置情報を取得できる場合には、各測位衛星６３により取得される基地局６０の位置情報の平均値に基づいて、正確な基地局６０の位置情報を取得することもできる。
【００５４】
例えば、単独測位やＤＧＰＳにより、基地局６０の位置情報及び別の基地局６４の位置情報を特定する場合には、別の基地局６４の設定位置情報（ｘ，ｙ）＝（ｘ１１，ｙ１１）、特定された別の基地局６４の位置情報（ｘ，ｙ）＝（ｘ１２，ｙ１２）、特定された基地局６０の位置情報（ｘ，ｙ）＝（ｘ１３，ｙ１３）とした場合に、補正部４２は、基地局６０の位置情報（ｘ，ｙ）＝｛ｘ１３−（ｘ１１−ｘ１２），ｙ１３−（ｙ１１−ｙ１２）｝として、正確な基地局６０の位置情報を求めることができる。
【００５５】
以上の如く、地図自体の誤差や基地局６０の位置情報の誤差を考慮して、測地変換部３９により基地局６０の位置情報又は地図情報の測地変換を行うことで、図４に示すように、走行領域Ｑ及び道路Ｋ１，Ｋ２等の位置情報を正確に取得することができる。図４に示すものでは、測地変換部３９により基地局６０の位置情報の測地変換を行った状態を示している。図３に示す測地変換前の夫々の位置情報に対して、図４に示す測地変換後の位置情報として、測地変換した位置のみを新たな位置情報にて示している。つまり、基地局６０の位置情報を（ｕ１０，ｖ１０）とし、複数の基準地点Ｑ１，Ｑ２，Ｑ３，Ｑ４の夫々における位置情報をＱ１（ｕ１１，ｖ１１），Ｑ２（ｕ１２，ｖ１２），Ｑ３（ｕ１３，ｖ１３），Ｑ４（ｕ１４，ｖ１４）とし、トラクタ１の現在位置を（ｕ１６，ｖ１６）にて示している。
【００５６】
上述の測地変換部３９による測地変換は、登録領域の登録を行う前等に行うことができるが、どのようなタイミングにて行うかは適宜変更が可能である。また、補正部４２によるＲＴＫ測位を用いた基地局６０の位置情報の補正は、測地変換とは別に、基地局６０の設置当初や基地局６０の設置後等に行うこともできる。例えば、基地局６０の設置当初に補正部４２によるＲＴＫ測位を用いた基地局６０の位置情報の補正を行うことで、基地局６０の設置当初から、基地局６０の位置情報は正確なものとなり、正確なトラクタ１の位置情報を取得することができる。
【００５７】
以下、登録領域の登録の前に測地変換部３９による測地変換を行い、図４に示すような位置情報を取得可能な状態とした上での登録領域の登録について、図６のフローチャートに基づいて説明する。
【００５８】
まず、登録の対象となる圃場内において、作業車両であるトラクタ１を作業者の操縦により走行させる（ステップ＃１）。このとき、圃場の角部を登録領域の基準地点としており、圃場内の端部側を周回走行させて、圃場の角部の夫々に対して、少なくともその近傍までトラクタ１を走行させるようにしている。
【００５９】
位置情報取得部３２は、トラクタ１の位置情報を取得しており、トラクタ１を走行させたときのトラクタ１の走行軌跡を求め、基準地点の位置情報を取得している（ステップ＃２）。例えば、図４では、圃場の角部を登録領域の基準地点Ｑ１，Ｑ２，Ｑ３，Ｑ４としており、トラクタ１の走行軌跡から、基準地点Ｑ１，Ｑ２，Ｑ３，Ｑ４の夫々における位置情報を取得している。
【００６０】
領域特定部３４は、基準地点Ｑ１，Ｑ２，Ｑ３，Ｑ４の夫々における位置情報から、トラクタ１の走行領域を特定する（ステップ＃３）。例えば、図４では、基準地点Ｑ１，Ｑ２，Ｑ３，Ｑ４を結ぶ線にて囲まれた領域を走行領域Ｑとして特定している。
【００６１】
ここで、特定した走行領域Ｑと取得している地図情報とを比較して、例えば、走行領域Ｑと道路Ｋ１，Ｋ２が隣接していない等、走行領域Ｑの位置情報と地図情報の位置情報とにずれが生じている場合（例えば、図３参照）には、再度、測地変換部３９による測地変換を行うことが可能である。このように、再度の測地変換部３９による測地変換を行うことで、より正確な位置情報を取得することができる。
【００６２】
判定部３５は、領域特定部３４にて特定された走行領域Ｑが禁止領域を含むか否かを判定し、登録部３６は、走行領域Ｑが禁止領域を含まなければ、走行領域Ｑを登録領域として登録する（ステップ＃４のＮｏの場合、ステップ＃５）。また、登録部３６は、走行領域Ｑが禁止領域を含むと、登録領域の登録を行わない（ステップ＃４のＹｅｓの場合）。例えば、図４において、圃場の周囲に隣接する道路Ｋ１，Ｋ２が位置する領域を禁止領域Ｋとしており、走行領域Ｑがグレーの領域Ｑ５のみを含む領域であると、走行領域Ｑが禁止領域Ｋを含まず、その走行領域Ｑを登録領域として登録する。一方、走行領域Ｑが、グレーの領域Ｑ５に加えて、点線にて囲む領域Ｑ６をも含む領域であると、走行領域Ｑが禁止領域Ｋを含むとして、登録領域の登録が行われない。ちなみに、登録領域の登録が行われない場合は、登録領域の再登録を行うように無線通信端末３０のタッチパネル等に表示することができる。
【００６３】
上述の如く、走行領域Ｑに禁止領域Ｋが含まれている場合でも、禁止領域Ｋを含む領域を登録領域として登録しないことで、禁止領域Ｋにおけるトラクタ１の自律走行を阻止することができる。この実施形態では、禁止領域Ｋにおけるトラクタ１の自律走行を阻止するための対策として、禁止領域Ｋを含む領域を登録領域として登録しないという対策だけでなく、トラクタ１を自律走行させる場合にも、禁止領域Ｋにおけるトラクタ１の自律走行を防止するための対策を講じているので、その対策について説明する。
【００６４】
判定部３５は、位置情報取得部３２により取得されたトラクタ１の現在位置が登録領域内であるか否か、及び、地図情報においてトラクタ１の自律走行が禁止される禁止領域Ｋ内であるか否かを判定可能に構成されている。そして、図２に示すように、無線通信端末３０には、判定部３５によりトラクタ１の現在位置が登録領域内で且つ禁止領域Ｋ内であると判定された場合にトラクタ１の自律走行を禁止する自律走行禁止部３８が備えられている。
【００６５】
以下、この自律走行時における対策について、図７のフローチャートに基づいて説明する。
トラクタ１を自律走行させる場合には、制御部２３が、トラクタ１の現在位置を取得しているので、無線通信用アンテナ２６と無線通信装置３１との無線通信を介して、位置情報取得部３２がトラクタ１の現在位置を取得している（ステップ＃１１）。判定部３５は、取得したトラクタ１の現在位置が登録領域内であるか否か、及び、取得したトラクタ１の現在位置が禁止領域Ｋ内であるか否かを判定する（ステップ＃１２、ステップ＃１３）。
【００６６】
自律走行禁止部３８は、判定部３５による判定により、トラクタ１の現在位置が登録領域Ｔ外であると（図８参照）、トラクタ１を走行停止させて自律走行を禁止する（ステップ＃１２のＮｏの場合、ステップ＃１４）。図８は、登録領域Ｔ内に禁止領域Ｋが存在する場合を示している。自律走行禁止部３８は、判定部３５による判定により、トラクタ１の現在位置が登録領域Ｔ内であっても禁止領域Ｋ内であると、トラクタ１を走行停止させて自律走行を禁止する（ステップ＃１２のＹｅｓの場合、ステップ＃１３のＹｅｓの場合、ステップ＃１４）。自律走行禁止部３８によりトラクタ１の自律走行を禁止する場合には、自律走行禁止部３８が、トラクタ１の自律走行を禁止するための指示信号を、無線通信装置３１と無線通信用アンテナ２６との間の無線通信を介して、トラクタ１の制御部２３に送信する。制御部２３は、自律走行禁止部３８からの指示信号に基づいて、トラクタ１を走行停止させて自律走行を禁止すべく、ガバナ装置２１や変速装置２２等を制御する。このとき、無線通信端末３０のタッチパネルやトラクタ１のモニタ部等に、自律走行を禁止したことにより走行停止した旨を表示することができる。
【００６７】
自律走行禁止部３８は、判定部３５による判定により、トラクタ１の現在位置が登録領域Ｔ内であり、且つ、トラクタ１の現在位置が禁止領域Ｋ外であると、トラクタ１の自律走行を継続させる（ステップ＃１２のＹｅｓの場合、ステップ＃１３のＮｏの場合、ステップ＃１５）。このとき、自律走行禁止部３８から指示信号が送信されることは無く、トラクタ１の制御部２３による自律走行が継続される。
【００６８】
このように、トラクタ１の現在位置が、登録領域Ｔから外れた場合だけでなく、登録領域Ｔ内であっても禁止領域Ｋ内であれば、トラクタ１の自律走行を禁止することができる。これにより、例えば、図８に示すように、登録領域Ｔ内に禁止領域Ｋが存在する場合でも、トラクタ１の現在位置が禁止領域Ｋ内になると、トラクタ１が走行停止されるので、禁止領域Ｋでの自律走行を阻止することができる。しかも、トラクタ１の現在位置を取得する度に判定部３５による判定が行われるので、トラクタ１が禁止領域Ｋに侵入した早い段階でトラクタ１を走行停止させることができ、禁止領域Ｋでの自律走行をいち早く阻止できる。
【００６９】
この実施形態では、禁止領域Ｋにおけるトラクタ１の自律走行を阻止するための対策として、上述の２つの対策を講じているが、例えば、禁止領域Ｋを含む領域を登録領域として登録しないという対策だけを講じる、又は、トラクタ１の自律走行時にトラクタ１の現在位置が禁止領域Ｋ内となると自律走行を禁止するという対策のみを講じることも可能である。
【００７０】
〔別実施形態〕
（１）上記実施形態では、位置情報取得部３２が基地局６０の位置情報に基づいて世界測地系によりトラクタ１の位置情報を取得可能であるのに対して、地図情報は日本測地系による位置情報を含む地図情報であり、位置情報を取得する測地系が異なるが、トラクタ１の位置情報及び地図情報の両方を世界測地系又は日本測地系により同一の測地系により取得できる場合には、測地変換部３９による測地変換を行わなくてもよい。この場合、測地変換部３９による測地変換とは別に、地図自体の誤差や基地局６０の位置情報の誤差を無くすための構成を備えることもできる。
【００７１】
（２）上記実施形態では、ＲＴＫ測位によりトラクタ１の位置情報を取得するために、基地局６０を設けているが、この基地局６０に代えて、別の基地局６４を備えることで、ＲＴＫ測位によりトラクタ１の位置情報を取得することもできる。このように、別の基地局６４を備える場合には、ＲＴＫ測位に限らず、ＤＧＰＳ（ディファレンシャルＧＰＳ測位）等の各種の測位方法を適用することもできる。
【００７２】
（３）上記実施形態では、本発明に係る自律走行システムの位置情報取得部３２や地図情報取得部３３等を無線通信端末３０に備えた場合を例示したが、本発明に係る自律走行システムの位置情報取得部３２や地図情報取得部３３等をどこに備えるかは適宜変更が可能である。例えば、本発明に係る自律走行システムの位置情報取得部３２や地図情報取得部３３等をトラクタ１の制御部２３に備えることも可能であり、また、外部の制御装置等に本発明に係る自律走行システムの位置情報取得部３２や地図情報取得部３３等を備えることも可能である。
【符号の説明】
【００７３】
１          トラクタ（作業車両）
３２        位置情報取得部
３３        地図情報取得部
３４        領域特定部
３５        判定部
３６        登録部
３８        自律走行禁止部
３９        測地変換部
４０        記憶部
４１        モード実行部
４２        補正部
６０        基地局
６４        別の基地局
【図１】
0006694328.tif 000002
【図２】
0006694328.tif 000003
【図３】
0006694328.tif 000004
【図４】
0006694328.tif 000005
【図５】
0006694328.tif 000006
【図６】
0006694328.tif 000007
【図７】
0006694328.tif 000008
【図８】
0006694328.tif 000009